(57)【要約】      （修正有）【課題】ピーク消費電力を低下させつつ、無線通信性能の劣化を抑制することが可能な無線メモリ装置を提供する。【解決手段】無線メモリ装置は、外部の無線通信装置と電波を送受信する第１の通常動作モードで動作し、又は、第１の通常動作モードよりも消費電力が低く且つ通信のための電波を送受信する機能の少なくとも一部を制限する第１の低消費電力モードで動作する無線通信部を備える。無線メモリ装置は、データを蓄積する機能を有し、データの書き込み又は読み出しを実行する第２の通常動作モードで動作し、又は、第２の通常動作モードよりも消費電力が低く且つデータの書き込み又は読み出しの少なくとも何れか一方を実行しない第２の低消費電力モードで動作するストレージ部を備える。無線通信部およびストレージ部の動作を制御する制御部は、第１の通常動作モードと第２の通常動作モードが同時に実行されないように、無線通信部とストレージ部を制御する。【選択図】図１
2013031112.tif 000002
【特許請求の範囲】
【請求項１】
外部の無線通信装置と無線通信する無線メモリ装置であって、
前記外部の無線通信装置と無線通信する機能を有し、無線通信のための電波を送信または受信する第１の通常動作モードで動作し、又は、前記第１の通常動作モードよりも消費電力が低く且つ通信のための電波を送受信する機能の少なくとも一部を制限する１の低消費電力モードで動作する無線通信部と、
データを蓄積する機能を有し、データの書き込み又は読み出しを実行する第２の通常動作モードで動作し、又は、前記第２の通常動作モードよりも消費電力が低く且つデータの書き込み又は読み出しの少なくとも何れか一方を実行しない第２の低消費電力モードで動作するストレージ部と、
前記無線通信部およびストレージ部の動作を制御する制御部と、を備え、
前記制御部は、
前記第１の通常動作モードと前記第２の通常動作モードが同時に実行されないように、前記無線通信部と前記ストレージ部を制御する
ことを特徴とする無線メモリ装置。
【請求項２】
前記無線通信部は、
前記第１の低消費電力モードを開始する前に、前記外部の無線通信装置に前記第１の低消費電力モードの開始を通知し、
一方、前記第１の通常動作モードを開始する前に、前記外部の無線通信装置に前記第１の通常動作モードの開始を通知する
ことを特徴とする請求項１に記載の無線メモリ装置。
【請求項３】
前記無線通信部は、
前記第１の低消費電力モード開始の通知、および前記第１の通常動作モード開始の通知を、IEEE802.11のAPSDプロトコルに従って実行する
ことを特徴とする請求項２に記載の無線メモリ装置。
【請求項４】
前記制御部は、
前記無線通信部が無線通信に関与しない期間を把握し、前記期間内に前記無線通信部とストレージ部をそれぞれ前記第１の低消費電力モードと前記第２の通常動作モードに制御する
ことを特徴とする請求項１に記載の無線メモリ装置。
【請求項５】
前記制御部は、
前記無線通信に関与しない期間を、仮想キャリアセンスに基づいて把握することを特徴とする請求項４に記載の無線メモリ装置。
【請求項６】
前記制御部は、
前記無線通信に関与しない期間を、前記外部の無線通信装置が送信する情報に基づいて把握される
ことを特徴とする請求項４に記載の無線メモリ装置。
【請求項７】
前記第１の低消費電力モード開始がIEEE802.16e規格のアップリンクの空き時間区間で実行される
ことを特徴とする請求項２に記載の無線メモリ装置。
【請求項８】
前記第１の低消費電力モード開始の通知、および前記第１の通常動作モード開始の通知が、IEEE802.16e規格のアイドルモードに従って実行される
ことを特徴とする請求項２に記載の無線メモリ装置。
【請求項９】
前記第１の低消費電力モード開始の通知、および前記第１の通常動作モード開始の通知が、IEEE802.16e規格のスリープモードに従って実行される
ことを特徴とする請求項２に記載の無線メモリ装置。
【請求項１０】
無線通信装置と、
前記無線通信装置と無線通信する無線メモリ装置と、を備え、
前記無線メモリ装置は、
前記外部の無線通信装置と無線通信する機能を有し、無線通信のための電波を送信または受信する第１の通常動作モードで動作し、又は、前記第１の通常動作モードよりも消費電力が低く且つ通信のための電波を送受信する機能の少なくとも一部を制限する第１の低消費電力モードで動作する無線通信部と、
データを蓄積する機能を有し、データの書き込み又は読み出しを実行する第２の通常動作モードで動作し、又は、前記第２の通常動作モードよりも消費電力が低く且つデータの書き込み又は読み出しの少なくとも何れか一方を実行しない第２の低消費電力モードで動作するストレージ部と、
前記無線通信部およびストレージ部の動作を制御する制御部と、を備え、
前記制御部は、
前記第１の通常動作モードと前記第２の通常動作モードが同時に実行されないように、前記無線通信部と前記ストレージ部を制御する
ことを特徴とする無線通信システム。
【発明の詳細な説明】
【技術分野】
【０００１】
本発明の実施形態は、無線メモリ装置、および、無線通信システムに関する。
【背景技術】
【０００２】
近年、メモリカードとWi-Fi（wireless fidelity）などの無線部とを組み合わせた製品がある。このような製品において、メモリ（ストレージ）部分と無線部分の消費電力の合計が、メモリカードの定格供給電力を上回る場合がある。
【０００３】
この場合、ピーク消費電力を低下させるために、例えば、メモリ部分と無線部分を交代的に動作させることが考えられる。
【０００４】
しかし、無線部分のプロトコル的な意味における通信状態を考慮しなければ、パケット損失やその副作用により、不必要に無線部分のデータ伝送性能が低下する。
【０００５】
例えば、IEEE802.11に基づく無線LANにおいては、パケット損失により、再送のバックオフが大きくなり、また変調・コーディングレートを下げるなどの副作用が発生する。すなわち、単に通信しない期間が存在するという以上に、無線通信性能が劣化する。
【先行技術文献】
【特許文献】
【０００６】
【特許文献１】特開２００７−２１４８９８
【発明の概要】
【発明が解決しようとする課題】
【０００７】
ピーク消費電力を低下させつつ、無線通信性能の劣化を抑制することが可能な無線メモリ装置を提供する。
【課題を解決するための手段】
【０００８】
実施例に従った無線メモリ装置は、外部の無線通信装置と無線通信する。無線メモリ装置は、前記外部の無線通信装置と無線通信する機能を有し、無線通信のための電波を送信または受信する第１の通常動作モードで動作し、又は、前記第１の通常動作モードよりも消費電力が低く且つ通信のための電波を送受信する機能の少なくとも一部を制限する第１の低消費電力モードで動作する無線通信部を備える。無線メモリ装置は、データを蓄積する機能を有し、データの書き込み又は読み出しを実行する第２の通常動作モードで動作し、又は、前記第２の通常動作モードよりも消費電力が低く且つデータの書き込み又は読み出しの少なくとも何れか一方を実行しない第２の低消費電力モードで動作するストレージ部を備える。無線メモリ装置は、前記無線通信部およびストレージ部の動作を制御する制御部と、を備える。前記制御部は、前記第１の通常動作モードと前記第２の通常動作モードが同時に実行されないように、前記無線通信部と前記ストレージ部を制御する。
【図面の簡単な説明】
【０００９】
【図１】図１は、実施例１に係る無線通信システム１００の構成の一例を示す図である。
【図２】図２は、図１に示す無線通信部１ａの構成の一例を示すブロック図である。
【図３】図３は、図１に示す無線通信部１ａとストレージ部１ｃの動作状態の時系列の一例を示す図である。
【図４】図４は、図１に示すホスト機器２からＰＣ４にデータを送信する場合における動作シーケンスの一例を示す図である。
【図５】図５は、ホスト機器２がＰＣ４からデータを受信する場合における動作シーケンスの一例を示す図である。
【図６】図６は、実施例２に係る無線通信システム２００の構成の一例を示す図である。
【図７】図７は、実施例２に係る無線通信システム２００が適用されるモバイルWiMAX（IEEE802.16e）システムにおける無線フレーム構成の一例を示す図である。
【図８】図８は、図６に示す無線通信部１ａとストレージ部１ｃの動作状態の時系列の一例を示す図である。
【図９】図９は、図１に示す無線通信部１ａとストレージ部１ｃの動作状態の時系列の他の例を示す図である。
【図１０】図１０は、図１に示す無線通信部１ａとストレージ部１ｃの動作状態の時系列のさらに他の例を示す図である。
【図１１】図１１は、フレーム内のアップリンク空き時間区間を利用する形態における動作シーケンスを示す図である。
【図１２】図１２は、端末の待ち受け時間区間をストレージ動作時間として利用する形態における動作シーケンスを示す図である。
【図１３】図１３は、アイドルモード中にページングメッセージを受信する区間が入る場合における動作シーケンスの一例を示す図である。
【図１４】図１４は、ホスト機器２が無線基地局２０３からデータを受信する場合における動作シーケンスの一例を示す図である。
【図１５】図１５は、端末のスリープ時間区間をストレージ動作時間として利用する形態における動作シーケンスの一例を示す図である。
【図１６】図１６は、スリープモード中にトラフィック通知メッセージを受信する区間が入る場合における動作シーケンスの一例を示す図である。
【図１７】図１７は、ホスト機器２が無線基地局２０３からデータを受信する場合における動作シーケンスの一例を示す図である。
【発明を実施するための形態】
【００１０】
以下、各実施例について図面に基づいて説明する。
【実施例１】
【００１１】
図１は、実施例１に係る無線通信システム１００の構成の一例を示す図である。また、図２は、図１に示す無線通信部１ａの構成の一例を示すブロック図である。
【００１２】
図１に示すように、無線通信システム１００は、無線メモリ装置１と、ホスト機器２と、  無線局３と、ＰＣ（Ｐｅｒｓｏｎａｌ  Ｃｏｍｐｕｔｅｒ）４と、を備える。
【００１３】
また、無線メモリ装置１は、外部の無線局（無線通信装置）３と無線通信する。この無線メモリ装置１は、例えば、図１に示すように、無線通信部１ａと、データ転送部１ｂと、ストレージ部１ｃと、制御部１ｄと、を有する。
【００１４】
無線通信部１ａは、外部の無線局（無線通信装置）３と無線通信する機能を有する。さらに、無線通信部１ａは、無線通信のための電波を送信または受信する第１の通常動作モード（通信状態）で動作し、又は、この第１の通常動作モードよりも消費電力が低く且つ通信のための電波を送受信する機能の少なくとも一部を制限する第１の低消費電力モード（省電力状態）で動作する。この無線通信部１ａは、ハードウェア、ソフトウェア、またはハードウェアとソフトウェアの組み合わせにより実現される。
【００１５】
この無線通信部１ａは、本実施例では、例えば、IEEE802.11規格に基づく無線LANである。なお、この無線通信部１ａは、他の規格等、様々な技術による部が考えられる。
【００１６】
また、無線通信部１ａは、送受信するデータを一時的に保持するバッファメモリ１ａ１を有する。
【００１７】
ストレージ部１ｃは、情報（データ）を蓄積する機能を有する。このストレージ部１ｃは、データの書き込み又は読み出しを実行する第２の通常動作モード（書き込み状態または読み出し状態）で動作し、又は、この第２の通常動作モードよりも消費電力が低く且つデータの書き込み又は読み出しの少なくとも何れか一方を実行しない第２の低消費電力モード（省電力状態）で動作する。
【００１８】
このストレージ部１ｃは、本実施例では、例えば、フラッシュメモリを主体として構成される。なお、ストレージ部１ｃは、ＨＤＤなど他の情報を蓄積する機能を有する部により構成されてもよい。
【００１９】
データ転送部１ｂは、無線通信部１ａ、ストレージ部１ｃ、および、ホスト機器２間におけるデータの転送を実行する。このデータ転送部１ｂは、転送するデータを一時的に保持するバッファ２ａ１を有する。
【００２０】
制御部１ｄは、無線通信部１ａ、ストレージ部１ｃ、データ転送部１ｂ、およびホスト機器２を制御する。この制御部１ｄによる後述の制御により、ピーク電力を抑制しつつ無線通信性能の劣化を防止するように、無線通信部１ａ、ストレージ部１ｃ、データ転送部１ｂ、およびホスト機器２が動作する。
【００２１】
特に、制御部１ｄは、該第１の通常動作モードと該第２の通常動作モードが同時に実行されないように、無線通信部１ａとストレージ部１ｃを制御する。
【００２２】
なお、無線通信部１ａおよびストレージ部１ｃは、いずれも内部にプロセッサを持つ場合が多い。しかし、制御部１ｄは、独立したプロセッサに実装してもよい。また、無線通信部１ａおよびストレージ部１ｃのプロセッサに実装してもよい。
【００２３】
ホスト機器２は、無線メモリ装置１を情報蓄積装置として用いる。このホスト機器２は、例えば、デジタルカメラ、携帯電話、携帯音楽プレーヤなどである。しかし、ホスト機器２は、他の種類の装置であってもよい。
【００２４】
無線局３は、アンテナ３ａを有し、無線通信部１ａと対向して無線通信する装置（無線通信装置）である。ここでは、例えば、無線局３がIEEE802.11の基地局（アクセスポイント）として機能し、無線通信部１ａがIEEE802.11の端末として機能するものとする。
【００２５】
なお、無線局３が端末として機能し、無線通信部１ａが基地局として機能してもよい。また、無線局３と無線通信部１ａのいずれもが、端末（アドホックモード、IBSS）として機能してもよい。
【００２６】
無線局３には、ＰＣ４が接続されていると仮定する。接続方法は、様々で、例えば、同じLAN内の接続、IP網を介した接続、或いは無線局３がＰＣ４に内蔵されていてもよい。
【００２７】
ＰＣ４は、ホスト機器２に対向する装置の一例である。したがって、より大規模なサーバシステム、或いはデジタルカメラ、携帯電話、携帯音楽プレーヤ、更にはプリンタやネットワークＨＤＤ等を、このＰＣ４に置き換えてもよい。このＰＣ４は、有線通信網５に接続されている。
【００２８】
ここで、図２に示すように、無線通信部１ａは、バッファメモリ１ａ１と、無線周波部１ａ２と、ＡＤＣ／ＤＡＣ部１ａ３と、ベースバンド部１ａ４と、ＭＡＣ部１ａ５と、プロトコル部１ａ６と、アンテナ１ａ７と、を有する。
【００２９】
バッファメモリ１ａ１は、既述のように、送受信するデータを一時的に保持する。
【００３０】
無線周波部１ａ２は、送受信する無線信号の増幅・周波数変換等を実行する。
【００３１】
ＡＤＣ／ＤＡＣ部１ａ３は、アナログ信号とデジタル信号の変換を実行する
ベースバンド部１ａ４は、デジタル信号の変復調を実行する。
【００３２】
ＭＡＣ部１ａ５は、メディアアクセス制御を実行する。
【００３３】
プロトコル部１ａ６は、TCP/IPおよび上位層のプロトコル処理を実行する。
【００３４】
アンテナ１ａ７は、電波の送受信に使用される。
【００３５】
ここで、以上のような構成を有する無線通信システム１００の動作について説明する。
【００３６】
図３は、図１に示す無線通信部１ａとストレージ部１ｃの動作状態の時系列の一例を示す図である。
【００３７】
図３において、無線通信部１ａの通信状態は、データの送信、受信を行うことができる通常動作状態である。
【００３８】
例えば、無線通信部１ａの省電力状態では、無線周波部やベースバンド部などの全部或いは一部の機能を停止する。したがって、データの送信、受信の機能の少なくとも一部を制限する。しかし、無線通信部１ａにおける消費電力は削減される。
【００３９】
また、ストレージ部１ｃの読み状態および書き状態は、通常動作状態である。
【００４０】
ストレージ部１ｃの省電力状態は、データの読み書きを実行しない。これにより、消費電力が削減される。
【００４１】
なお、読み状態の消費電力が書き状態の消費電力より小さく、かつ読み状態と無線通信部１ａの通信状態のピーク合計消費電力が削減の必要の無い程度の値であれば、読み状態を省電力状態と定義してもよい。また、読みと書きが逆の場合も同様である。
【００４２】
制御部１ｄは、無線通信部１ａおよびストレージ部１ｃの少なくともいずれか一方が省電力状態になるように、無線通信部１ａ、ストレージ部１ｃ、データ転送部１ｂ、およびホスト機器２を制御する。
【００４３】
次に、ホスト機器２からＰＣ４にデータを送信する場合における、動作シーケンスの一例について説明する。
【００４４】
図４は、図１に示すホスト機器２からＰＣ４にデータを送信する場合における動作シーケンスの一例を示す図である。
【００４５】
図４に示すように、制御部１ｄは、データ転送部１ｂを介して、ホスト機器２からのデータ書き込み要求を受けると、無線通信部１ａに省電力状態になるように指令する。
【００４６】
無線通信部１ａは、この指令に応じて、対向する無線局３に対してスリープ開始の信号を送信して省電力状態になり、制御部１ｄに対して省電力状態になったことを確認する（通知する）。
【００４７】
そして、制御部１ｄは、所定のデータを書き込むために、ストレージ部１ｃを書き状態を指示する。
【００４８】
図４に示す例では、状態の移り変わりをわかりやすくするために明示的に記載している。しかし、この制御部１ｄの書き状態の指示は、データ転送部１ｂによるストレージ部１ｃへのデータの書き込みを実行することで書き状態とする、データ転送部１ｂを介した暗黙的な指示であってもよい。
【００４９】
また、制御部１ｄの省電力状態の指示も、データ転送部１ｂによるストレージ部１ｃへのデータの読み書きを実行しないことで省電力状態とする、データ転送部１ｂを介した暗黙的な指示であってもよい。
【００５０】
また、制御部１ｄの読み状態の指示も、データ転送部１ｂによるストレージ部１ｃからのデータの読み込みを実行することで読み状態とする、データ転送部１ｂを介した暗黙的な指示であってもよい。
【００５１】
次に、制御部１ｄは、データ転送部１ｂに対してホスト機器２からストレージ部１ｃへのデータ転送を指示し、またホスト機器２に対してデータ書き込み可を通知する。
【００５２】
そして、データ転送部１ｂは、この通知を受けて、ホスト機器２からストレージ部１ｃにデータを転送する。
【００５３】
そして、データ転送が完了（制御部１ｄが予め転送量を指示していれば判断可能）すると、データ転送部１ｂは、制御部１ｄに対して、データ転送完了を通知する。
【００５４】
そして、制御部１ｄは、この通知を受けて、ホスト機器２に対して、データ書き込み不可を通知する。
【００５５】
次に、制御部１ｄは、ストレージ部１ｃに対して、読み状態を指示する。なお、この制御部１ｄの読み状態の指示は、既述のように、データ転送部１ｂによるストレージ部１ｃからのデータの読み込みを実行することで読み状態とする、データ転送部１ｂを介した暗黙的な指示であってもよい。
【００５６】
さらに、制御部１ｄは、データ転送部１ｂに対してストレージ部１ｃから無線通信部１ａへのデータ転送を指示する。
【００５７】
そして、データ転送部１ｂは、この指示を受けて、ストレージ部１ｃから無線通信部１ａにデータを転送する。
【００５８】
そして、データ転送が完了すると、データ転送部１ｂは制御部１ｄに対してデータ転送完了を通知する。
【００５９】
次に、制御部１ｄは、ストレージ部１ｃに対して、省電力状態を指示する。なお、この制御部１ｄの省電力状態の指示は、既述のように、データ転送部１ｂによるストレージ部１ｃへのデータの読み書きを実行しないことで省電力状態とする、データ転送部１ｂを介した暗黙的な指示であってもよい。
【００６０】
さらに、制御部１ｄは、無線通信部１ａに通信状態を指示する。
【００６１】
そして、無線通信部１ａは、この指示を受けて、無線局３に対してスリープ解除を通知するとともに、通信状態になって無線局３に対するデータ送信を実行する。
【００６２】
無線局３は、受信したデータをＰＣ４に転送する。
【００６３】
そして、無線通信部１ａは、データ送信が完了すると、無線局３に対してスリープ開始を通知するとともに、制御部１ｄに対して省電力状態になったことを確認する（通知する）。
【００６４】
次に、ホスト機器２がＰＣ４からデータを受信する場合における動作シーケンスの一例について説明する。
【００６５】
図５は、ホスト機器２がＰＣ４からデータを受信する場合における動作シーケンスの一例を示す図である。
【００６６】
図５に示すように、無線局３は、ＰＣ４からデータ転送を受ける。ここで、無線通信部１ａがスリープ状態にあるとすると、無線局３は、無線通信部１ａがスリープ状態を終了するまで、一時的にデータを蓄積する。
【００６７】
一方、制御部１ｄは、ストレージ部１ｃに省電力状態を指示（暗黙的な指示では省略可）するとともに、無線通信部１ａに通信状態を指示する。
【００６８】
そして、無線通信部１ａは、この指示を受けて、無線局３にスリープ解除を送信する。すなわち、無線通信部１ａは、第１の通常動作モード（書き状態又は読み状態）を開始する前に、無線局３に第１の通常動作モードの開始を通知する。
【００６９】
そして、無線局３は、このスリープ解除を受けると、一時的に蓄積していたデータを無線通信部１ａに対して送信する。
【００７０】
そして、無線通信部１ａは、このデータ送信が終わると、或いはデータ送信が一定量を超えると、無線局３に対してスリープ開始を送信する。すなわち、無線通信部１ａは、第１の低消費電力モード（省電力状態）を開始する前に、無線局３に第１の低消費電力モードの開始を通知する。
【００７１】
さらに、無線通信部１ａは、制御部１ｄに省電力状態確認を通知するとともに、制御部１ｄにデータ受信を通知する。
【００７２】
次に、制御部１ｄは、このデータ受信の通知を受けると、ストレージ部１ｃに書き状態を指示する（暗黙的な指示では省略可）。
【００７３】
そして、制御部１ｄは、データ転送部１ｂに、無線通信部１ａからストレージ部１ｃへのデータ転送を指示する。
【００７４】
そして、データ転送部１ｂは、この指示を受けると、無線通信部１ａからストレージ部１ｃにデータを転送する。
【００７５】
データ転送部１ｂは、このデータ転送が完了すると、制御部１ｄに対してデータ転送完了を通知する。
【００７６】
次に、制御部１ｄは、この通知を受けると、ホスト機器２に対してデータ受信を通知する。
【００７７】
そして、ホスト機器２は、この通知を受けると、制御部１ｄに対してデータ読み込み要求を行う。
【００７８】
次に、制御部１ｄは、ストレージ部１ｃに読み状態を指示する（暗黙的な指示では省略可）。
【００７９】
そして、制御部１ｄは、データ転送部１ｂにストレージ部１ｃからホスト機器２へのデータ転送開始を指示し、ホスト機器２にデータ読み込み可を通知する。
【００８０】
そして、データ転送部１ｂは、データ転送が完了すると、制御部１ｄにデータ転送完了を通知する。
【００８１】
制御部１ｄは、ホスト機器２に対してデータ読み込み不可を通知する。
【００８２】
以上、図４および図５に示すように、制御部１ｄは、無線通信部１ａ、ストレージ部１ｃ、データ転送部１ｂ、ホスト機器２を制御する。特に、制御部１ｄは、無線通信部１ａが無線通信に関与しない期間を把握し、この期間内に無線通信部１ａとストレージ部１ｃをそれぞれ第１の低消費電力モード（省電力状態）と第２の通常動作モード（書き状態又は読み状態）に制御する。
【００８３】
これにより、ピーク消費電力を抑制することができる。さらに、無線通信部１ａが省電力状態において、無線局３に対してスリープ状態を通知することにより、省電力状態中のパケット損失をなくし、無線通信性能の劣化を防止することができる。
【００８４】
なお、上記のシーケンスにおいて、IEEE802.11に従う無線通信の場合、APSD（Automatic Power Save Delivery）の規格に従うスリープ開始・停止・データ送受信を行うことが考えられる。
【００８５】
すなわち、無線通信部１ａは、該第１の低消費電力モード（省電力状態）の開始の通知、および該第１の通常動作モード（書き状態又は読み状態）の開始の通知を、IEEE802.11のAPSDプロトコルに従って実行する。
【００８６】
IEEE802.11においては、パケットの損失は送信のバックオフ時間の増大や、変調とコーディングレートの過度の低下につながる。しかし、APSDのプロトコルに従うことにより、基地局（この実施例の無線局３）が端末（この実施例の無線通信部１ａ）宛てのパケットを、省電力期間中（この実施例の無線通信部１ａの省電力状態中）は溜めておくようにできる。
【００８７】
このため、無線通信部１ａが送受信できない期間を設けることによってパケットが損失することはなくなり、必要以上に無線通信性能が低下することがなくなる。
【００８８】
また、IEEE802.11に従う無線通信の場合、仮想キャリアセンスにより自装置（無線メモリ装置１）が関与しない通信期間が把握される。すなわち、制御部１ｄは、無線通信に関与しない期間を、仮想キャリアセンスに基づいて把握する。そして、その期間に収まる範囲で無線通信部１ａを省電力状態（IEEE802.11の省電力状態でなくてもよい）にし、ストレージ部１ｃを通常状態にするように、制御部１ｄが制御を行ってもよい。
【００８９】
この制御は、いずれにしても無線通信部１ａが送受信できない期間をストレージ部１ｃの通常状態として活用することになる。これにより、無線通信性能の低下を防ぐことができる。
【００９０】
以上のように、本実施例１に係る無線メモリ装置によれば、ピーク消費電力を低下させつつ、無線通信性能の劣化を抑制することができる。
【実施例２】
【００９１】
既述の実施例１では、IEEE802.11規格に基づく無線LANに適用する無線通信部について説明した。
【００９２】
本実施例２では、モバイルWiMAXとも呼ばれているIEEE802.16e規格に準拠した無線システムについて説明する。
【００９３】
図６は、実施例２に係る無線通信システム２００の構成の一例を示す図である。なお、図６に示す無線通信システム２００の構成は、無線基地局２０３側以外は、図１と同じ構成である。
【００９４】
無線基地局２０３は、無線通信部１ａが接続して無線通信を行う装置（無線通信装置）である。ここでは、無線通信部１ａがモバイルWiMAX（IEEE802.16e）システムの端末として機能することを主に想定する。
【００９５】
また、無線基地局２０３は、セルラシステムのようにビル屋上、電柱等に設置されている屋外型の基地局や、地下街など地上電波が届きにくい場合に設置される小型基地局、ビルの窓際やマンションのベランダなどに設置される中継器（リピータ）等であるものとする。この無線基地局２０３は、有線通信網５に接続されている。
【００９６】
なお、無線通信部１ａは、各部の基本的な構成要素は図２と同様である。
【００９７】
ここで、図７は、実施例２に係る無線通信システム２００が適用されるモバイルWiMAX（IEEE802.16e）システムにおける無線フレーム構成の一例を示す図である。
【００９８】
本システムは、時間分割複信（TDD：Time Division Duplex）を適用している。このため、1フレーム内に、ダウンリンク（無線基地局２０３→無線通信部１ａ）とアップリンク（無線通信部１ａ→無線基地局２０３）の各時間区間がセットで含まれる（図７）。
【００９９】
ダウンリンク区間には、プリアンブルと、ダウンリンク制御情報と、ダウンリンクＭＡＰ情報と、アップリンクＭＡＰ情報と、ダウンリンクバースト（DL Burst1〜DL Burst4）と、が含まれる。
【０１００】
プリアンブルでは、端末（無線通信部１ａ）が無線フレームへの時間同期を取得するための情報が送信される。
【０１０１】
ダウンリンク制御情報の区間では、システム報知情報が送信される。
【０１０２】
ダウンリンクＭＡＰ情報の区間では、ダウンリンクにて各端末向けのバーストがダウンリンク区間のどこに含まれるかを示す情報である。
【０１０３】
アップリンクＭＡＰ情報の区間では、アップリンクにて各端末がどの部分で送信してもよいかが示された情報が送信される。
【０１０４】
ダウンリンクバースト（DL Burst1〜DL Burst4）の区間では、アップリンクＭＡＰ情報の後に位置し、各端末向けたバーストが送信される。
【０１０５】
一方、アップリンク区間には、アップリンク制御情報と、アップリンクバースト（UL Burst1〜UL Burst3）とが含まれる。
【０１０６】
アップリンク制御情報の区間では、各端末からの下りリンクバーストに対する端末側からのACK/NACKや、端末の受信品質情報などが送信される。
【０１０７】
アップリンクバーストの区間では、文字通り各端末から無線基地局２０３にバーストが送信される。
【０１０８】
前述の通り、ダウンリンクＭＡＰ情報は、ダウンリンクにて各端末向けバーストがダウンリンク区間のどこに含まれるかを示すものである。このバーストが含まれる無線フレームは、ダウンリンクＭＡＰ情報と同じ無線フレーム内に含まれる。
【０１０９】
一方、アップリンクＭＡＰ情報は、各端末がどの部分で送信してもよいかが示されるものである。アップリンクＭＡＰ情報で送信指定されるバーストは、このアップリンクＭＡＰ情報が含まれる無線フレームの次以降の無線フレームに含まれて運用される。
【０１１０】
このように、制御部１ｄは、無線メモリ装置１が無線通信に関与しない期間を、無線基地局２０３が送信する無線フレームに含まれる情報に基づいて把握する。
【０１１１】
次に、以上のような構成を有する無線通信システム２００の動作について説明する。
【０１１２】
図８は、図６に示す無線通信部１ａとストレージ部１ｃの動作状態の時系列の一例を示す図である。この図８は、無線フレーム内のアップリンク空き時間区間を利用する形態を示す。また、図９は、図１に示す無線通信部１ａとストレージ部１ｃの動作状態の時系列の他の例を示す図である。この図９は、アイドル（Idle）モード（待ち受けモード）の通信アイドル区間を利用する形態を示す。また、図１０は、図１に示す無線通信部１ａとストレージ部１ｃの動作状態の時系列のさらに他の例を示す図である。この図１０は、スリープモードの通信スリープ区間を利用する形態を示している。 
【０１１３】
既述の実施例１と同様に、例えば、無線通信部１ａの省電力状態では、無線周波部やベースバンド部などの全部或いは一部の機能を停止する。したがって、データの送信、受信は、実行されない。しかし、無線通信部１ａにおける消費電力は削減される。
【０１１４】
また、ストレージ部１ｃの読み状態および書き状態は、通常動作状態である。
【０１１５】
ストレージ部１ｃの省電力状態は、データの読み書きを実行しない。これにより、消費電力が削減される。
【０１１６】
なお、読み状態の消費電力が書き状態の消費電力より小さく、かつ読み状態と無線通信部１ａの通信状態のピーク合計消費電力が削減の必要の無い程度の値であれば、読み状態を省電力状態と定義してもよい。また、読みと書きが逆の場合も同様である。
【０１１７】
制御部１ｄは、無線通信部１ａおよびストレージ部１ｃの少なくともいずれか一方が省電力状態になるように、無線通信部１ａ、ストレージ部１ｃ、データ転送部１ｂ、およびホスト機器２を制御する。
【０１１８】
既述の図８に示す動作形態では、端末が送信しないアップリンク空き時間区間を、ストレージ動作時間として利用する。
【０１１９】
既述のように、ダウンリンクＭＡＰ情報に記載されるダウンリンクバーストは、そのダウンリンクＭＡＰ情報が含まれる同一のフレーム内に割当てられる。
【０１２０】
つまり、ダウンリンクＭＡＰ情報に端末自身の割り当てが含まれる場合、そのダウンリンクＭＡＰ情報の後ろに端末自身に割当てら得たダウンリンクバーストが含まれる。
【０１２１】
そのため、ダウンリンク区間においては全て受信しておかないと、ダウンリンクＭＡＰ情報に端末自身のダウンリンクバーストの割り当てがある場合には、受信処理が間に合わない。
【０１２２】
したがって、ダウンリンク区間では、通信動作を休止できる区間はない。
【０１２３】
一方、アップリンクの場合は、アップリンクＭＡＰ情報に端末自身のバースト割り当てが記載されてから、１または２フレーム後に実際のバーストの割り当てが行われる。
【０１２４】
アップリンクバーストは、端末自身が基地局に送信要求を出して割当てられるものであるから、端末自身が送信要求しない場合はアップリンクバースト区間に送信する必要がない。
【０１２５】
ただし、アップリンク区間の前半におけるアップリンク制御情報部分は、ダウンリンクバーストに対するACK/NACKや通信品質報告などを送信する必要があるため、通信動作を休止できない。
【０１２６】
したがって、図８に示すように、端末自身が送信する必要がないアップリンクバースト区間を、ストレージ部１ｃの読み／書き動作に割り当てる。
【０１２７】
ここで、図１１は、フレーム内のアップリンク空き時間区間を利用する形態における動作シーケンスを示す図である。
【０１２８】
図１１に示す動作形態では、アップリンク区間を利用するため、端末におけるデータ受信の場合しかない（データ送信はできない）。
【０１２９】
図１１のダウンリンク区間Ｄ１には、ダウンリンクバーストが含まれ、無線基地局２０３からデータが送信される。
【０１３０】
そして、端末（無線通信部１ａ）では、それらのバーストを受信し、続くアップリンク区間Ｕ１の前半において、ダウンリンクバーストのACK/NACKおよび通信品質レポートを送信する。
【０１３１】
無線基地局２０３は、有線通信網５からデータ転送を受け、無線基地局２０３は一時的にデータを蓄積する。
【０１３２】
一方、制御部１ｄは、ストレージ部１ｃに省電力状態を指示し（暗黙的な指示では省略可）、無線通信部１ａに対しては通信状態を指示する。
【０１３３】
無線基地局２０３は、ダウリンク区間Ｄ１において、データを無線通信部１ａに対して送信する。
【０１３４】
そして、データ送信が終わると、アップリンク区間Ｕ１において、無線通信部１ａは、無線基地局２０３に対してダウンリンクバーストのACK/NACKおよび通信品質レポートを送信する。
【０１３５】
その後の時間区間において、無線通信部１ａは、制御部１ｄに対して省電力状態確認を通知し、さらに制御部１ｄに対してデータ受信を通知する。
【０１３６】
すなわち、無線通信部１ａの第１の低消費電力モード（省電力状態）開始がIEEE802.16e規格のアップリンクの空き時間区間で実行される。
【０１３７】
そして、制御部１ｄは、データ受信の通知を受けると、ストレージ部１ｃを書き状態にする（暗黙的な指示では省略可）。さらに、制御部１ｄは、データ転送部１ｂに対し、無線通信部１ａからストレージ部１ｃへのデータ転送を指示する。
【０１３８】
そして、データ転送部１ｂは、この指示を受けて、無線通信部１ａからストレージ部１ｃにデータを転送する。
【０１３９】
そして、このデータ転送が完了すると、データ転送部１ｂは、制御部１ｄに対してデータ転送完了を通知する。
【０１４０】
制御部１ｄは、この通知を受けると、ホスト機器２に対してデータ受信を通知する。
【０１４１】
そして、ダウリンク区間Ｄ２の経過後、続くアップリンク区間Ｕ２において、ホスト機器２は、データ受信通知を受けて、制御部１ｄに対してデータ読み込み要求を行う。
【０１４２】
制御部１ｄは、ストレージ部１ｃを読み状態にする（暗黙的な指示では省略可）。さらに、制御部１ｄは、データ転送部１ｂにストレージ部１ｃからホスト機器２へのデータ転送開始を指示するとともに、ホスト機器２にデータ読み込み可を通知する。
【０１４３】
データ転送部１ｂは、ストレージ部１ｃからホスト機器２へのデータ転送を開始する。
【０１４４】
そして、データ転送部１ｂは、データ転送が完了すると、制御部１ｄにデータ転送完了を通知する。
【０１４５】
そして、制御部１ｄは、ホスト機器２に対してデータ読み込み不可を通知する。
【０１４６】
なお、図１１では、２つのアップリンク区間Ｕ１、Ｕ２で書き状態と読み状態を分けたが、処理時間的に余裕があれば１つのアップリンク区間で書き状態と読み状態を処理してもよい。また、アップリンク区間の一部を送信処理に割いても良い。
【０１４７】
以上のように、制御部１ｄは、端末が送信しないアップリンク空き時間区間を、ストレージ動作時間として利用して、無線通信部１ａ、ストレージ部１ｃ、データ転送部１ｂ、およびホスト機器２を、無線通信メモリ１のピーク消費電力が抑制されるように制御する。
【０１４８】
また、既述の図９に示す動作形態では、アイドルモード（待ち受けモード）の通信アイドル区間を利用する。この動作形態では、端末の待ち受け時間区間をストレージ動作時間として利用するものである。
【０１４９】
ここで、図１２は、端末の待ち受け時間区間をストレージ動作時間として利用する形態における動作シーケンスを示す図である。
【０１５０】
図１２に示すように、制御部１ｄは、ホスト機器２からのデータ書き込み要求を受けると、無線通信部１ａに省電力状態になるように指令する。
【０１５１】
無線通信部１ａは、この指令を受けて、無線基地局２０３に対して、アイドルモード開始要求メッセージを送信し、無線基地局２０３から、アイドルモード開始許可メッセージを受けると、省電力状態になる。さらに、無線通信部１ａは、制御部１ｄに対して省電力状態になったことを確認する（通知する）。
【０１５２】
続くアイドル区間において、制御部１ｄは、ストレージ部１ｃに書き状態を指示する。なお、この指示は、図１２のようにストレージ部１ｃへの明示的な指示であってもよく、データ転送部１ｂによるストレージ部１ｃへのデータの書き込みを行うことで書き状態とする、データ転送部１ｂを介した暗黙的な指示であってもよい。
【０１５３】
次に、制御部１ｄは、データ転送部１ｂに対してホスト機器２からストレージ部１ｃへのデータ転送を指示する。さらに、制御部１ｄは、ホスト機器２に対してデータ書き込み可を通知する。
【０１５４】
そして、データ転送部１ｂは、この指示を受けて、ホスト機器２からストレージ部１ｃにデータを転送する。
【０１５５】
そして、データ転送部１ｂはデータ転送が完了（制御部１ｄが予め転送量を指示していれば判断可能）すると、制御部１ｄに対してデータ転送完了を通知する。
【０１５６】
さらに、制御部１ｄは、ホスト機器２に対してデータ書き込み不可を通知する。
【０１５７】
また、制御部１ｄは、ストレージ部１ｃに対して読み状態を指示する。なお、この指示は、データ転送部１ｂによるストレージ部１ｃからのデータの読み込みを行うことで読み状態にする暗黙的な指示であってもよい。さらに、制御部１ｄは、データ転送部１ｂに対してストレージ部１ｃから無線通信部１ａへのデータ転送を指示する。
【０１５８】
そして、データ転送部１ｂは、この指示を受けて、ストレージ部１ｃから無線通信部１ａにデータを転送する。
【０１５９】
そして、データ転送部１ｂは、データ転送が完了すると、制御部１ｄに対してデータ転送完了を通知する。
【０１６０】
制御部１ｄは、ストレージ部１ｃに対して、省電力状態を指示する。なお、この指示は、データ転送部１ｂによるストレージ部１ｃへのデータの読み書きを行わないことで省電力状態する暗黙的な指示であってもよい。さらに、制御部１ｄは、無線通信部１ａに対して通信状態を指示する。
【０１６１】
そして、無線通信部１ａは、この指示を受けると、無線基地局２０３に対して、ネットワークエントリ手続きを実行することにより通常状態になり、データ送信する。
【０１６２】
すなわち、無線通信部１ａの第１の低消費電力モード（省電力状態）開始の通知、および第１の通常動作モード（通信状態）開始の通知が、IEEE802.16e規格のアイドルモードに従って実行される。
【０１６３】
そして、無線基地局２０３は、受信したデータをＰＣ４に転送する。
【０１６４】
そして、無線通信部１ａは、データ送信が完了すると、無線基地局２０３に対して、アイドルモード開始要求メッセージを通知するとともに、制御部１ｄに対して省電力状態確認を通知する。
【０１６５】
以上のように、制御部１ｄは、無線通信部１ａが無線通信に関与しない期間（アイドル期間）を把握し、この期間内に無線通信部１ａとストレージ部１ｃをそれぞれ第１の低消費電力モード（省電力状態）と第２の通常動作モード（書き状態又は読み状態）に制御する。
【０１６６】
ここで、図１３は、アイドルモード中にページングメッセージを受信する区間が入る場合における動作シーケンスの一例を示す図である。
【０１６７】
アイドルモードでは、無線基地局２０３からの指定により、一定時間間隔でページング（Paging）メッセージを受信する時間区間を設ける必要がある。
【０１６８】
図１３に示す例では、アイドル区間（ａ）および（ｂ）の間でページング受信区間が入る。
【０１６９】
したがって、ストレージが書き状態となるアイドル区間（ａ）の（ｂ）の間では、データ転送中断と再開の指示が制御部１ｄからデータ転送部１ｂに出力される。
【０１７０】
同様に、アイドル区間（ｃ）および（ｄ）の間でページング受信区間が入る。
【０１７１】
したがって、ストレージが読み状態となるアイドル区間（ｃ）の（ｄ）の間では、データ転送中断と再開の指示が制御部１ｄからデータ転送部１ｂに出力される。
【０１７２】
また、図１４は、ホスト機器２が無線基地局２０３からデータを受信する場合における動作シーケンスの一例を示す図である。
【０１７３】
図１４に示すように、無線基地局２０３は、有線ネットワークからデータ転送を受ける。無線基地局２０３は、ページングメッセージにより、アイドルモード中の無線通信部１ａを呼び出し、送信データがあることを通知する。
【０１７４】
一方、制御部１ｄは、ストレージ部１ｃに省電力状態を指示する（暗黙的な指示では省略可）。さらに、制御部１ｄは、無線通信部１ａに通信状態を指示する。
【０１７５】
無線通信部１ａは、この指示を受けて、ネットワークエントリ手続きを実行して無線基地局２０３に無線接続する。
【０１７６】
無線基地局２０３は、ネットワークエントリ手続きが完了すると、一時的に蓄積していたデータを無線通信部１ａに対して送信する。
【０１７７】
無線通信部１ａは、データ送信が終わると、或いはデータ送信が一定量を超えると、無線基地局２０３に対してアイドルモード開始要求メッセージを送信し、無線基地局２０３からアイドルモード開始許可メッセージを受ける。
【０１７８】
そして、無線通信部１ａは、制御部１ｄに省電力状態確認を通知する。
【０１７９】
さらに、無線通信部１ａは、制御部１ｄにデータ受信を通知する。
【０１８０】
制御部１ｄは、データ受信の通知を受けると、アイドル区間において、ストレージ部１ｃを書き状態を指示する（暗黙的な指示では省略可）。さらに、制御部１ｄは、データ転送部１ｂに対し、無線通信部１ａからストレージ部１ｃへのデータ転送を指示する。
【０１８１】
そして、データ転送部１ｂは、この指示を受けると、無線通信部１ａからストレージ部１ｃにデータを転送する。
【０１８２】
そして、データ転送部１ｂは、このデータ転送が完了すると、制御部１ｄに対してデータ転送の完了を通知する。
【０１８３】
そして、制御部１ｄは、この通知を受けると、ホスト機器２にデータ受信を通知する。
【０１８４】
そして、ホスト機器２は、この通知を受けると、制御部１ｄに対してデータ読み込み要求を実行する。
【０１８５】
制御部１ｄは、ストレージ部１ｃに読み状態を指示する（暗黙的な指示では省略可）。
【０１８６】
さらに、制御部１ｄは、データ転送部１ｂにストレージ部１ｃからホスト機器２へのデータ転送開始を指示するとともに、ホスト機器２にデータ読み込み可を通知する。
【０１８７】
そして、データ転送部１ｂは、データ転送が完了すると、制御部１ｄにデータ転送完了を通知する。
【０１８８】
そして、制御部１ｄは、この通知を受けると、ホスト機器２にデータ読み込み不可を通知する。
【０１８９】
図１４の例では、一つのアイドル区間にストレージ書き状態／読み状態が入っているが、途中にページングメッセージ受信が入る場合は、ストレージ書き状態／読み状態を複数のアイドル区間に分けて処理することも可能である。
【０１９０】
以上の図１２〜図１４のように、制御部１ｄは、無線通信部１ａ、ストレージ部１ｃ、データ転送部１ｂ、ホスト機器２を制御するため、ピーク消費電力を抑制することができる。さらに、無線通信部１ａは、省電力状態において、無線基地局２０３に対してアイドルモード状態を通知することにより、省電力状態中のパケット損失をなくし、無線通信性能の劣化を防止することができる。
【０１９１】
また、既述の図１０に示す動作形態では、スリープモードの通信スリープ区間を利用する形態を示している。この動作形態では、端末のスリープ時間区間をストレージ動作時間として利用するものである。
【０１９２】
ここで、図１５は、端末のスリープ時間区間をストレージ動作時間として利用する形態における動作シーケンスの一例を示す図である。
【０１９３】
制御部１ｄは、ホスト機器２からのデータ書き込み要求を受けると、無線通信部１ａに省電力状態になるように指示する。
【０１９４】
無線通信部１ａは、この指示を受けて、無線基地局２０３に、スリープモード開始要求メッセージを送信し、無線基地局２０３から、スリープモード開始許可メッセージを受信する。さらに、無線通信部１ａは、省電力状態になり、制御部１ｄに対して省電力状態になったことを確認する（通知する）。
【０１９５】
続くスリープ区間において、制御部１ｄは、ストレージ部１ｃに書き状態を指示する。なお、この指示は、図１５に示すようにストレージ部１ｃへの明示的な指示であってもよく、データ転送部１ｂによるストレージ部１ｃへのデータの書き込みを行うことで書き状態とする、データ転送部１ｂを介した暗黙的な指示であってもよい。
【０１９６】
次に、制御部１ｄは、データ転送部１ｂにホスト機器２からストレージ部１ｃへのデータ転送を指示する。さらに、制御部１ｄは、ホスト機器２に対してデータ書き込み可を通知する。
【０１９７】
そして、データ転送部１ｂは、この指示を受けると、ホスト機器２からストレージ部１ｃにデータを転送する。
【０１９８】
そして、データ転送部１ｂは、データ転送が完了（制御部１ｄが予め転送量を指示していれば判断可能）すると、制御部１ｄにデータ転送の完了を通知する。
【０１９９】
そして、制御部１ｄは、このデータ転送の完了の通知を受けて、ホスト機器２にデータ書き込み不可を通知する。
【０２００】
そして、制御部１ｄは、ストレージ部１ｃに対して読み状態を指示する。なお、この指示は、既述のようにデータ転送部１ｂによるストレージ部１ｃからのデータの読み込みを行うことで読み状態とする、データ転送部１ｂを介した暗黙的な指示であってもよい。さらに、制御部１ｄは、データ転送部１ｂにストレージ部１ｃから無線通信部１ａへのデータ転送を指示する。
【０２０１】
データ転送部１ｂは、この指示を受けて、ストレージ部１ｃから無線通信部１ａにデータを転送する。
【０２０２】
そして、データ転送部１ｂは、データ転送が完了すると、制御部１ｄにデータ転送の完了を通知する。
【０２０３】
制御部１ｄは、ストレージ部１ｃに対して、省電力状態を指示する。なお、この指示は、データ転送部１ｂによるストレージ部１ｃへのデータの読み書きを行わないことで省電力状態とする、データ転送部１ｂを介した暗黙的な指示であってもよい。さらに、制御部１ｄは、無線通信部１ａに通信状態を指示する。
【０２０４】
そして、無線通信部１ａは、この指示を受けると、通信状態となり、無線基地局２０３に送信要求メッセージを送信する。
【０２０５】
すなわち、以上のように、無線通信部１ａの第１の低消費電力モード（省電力状態）開始の通知、および第１の通常動作モード（通信状態）開始の通知が、IEEE802.16e規格のスリープモードに従って実行される。
【０２０６】
そして、無線基地局２０３は、無線通信部１ａが送信する時間周波数領域の割当て指定を実行する。そして、無線基地局２０３は、この割当て指定の結果を送信許可メッセージ（ＭＡＰメッセージ）で、無線通信部１ａに通知する
そして、無線通信部１ａは、この通知を受けると、無線基地局２０３に、指定された領域でデータ送信する。
【０２０７】
そして、無線基地局２０３は、受信したデータを有線通信網５に転送する。
【０２０８】
次に、図１６は、スリープモード中にトラフィック通知メッセージを受信する区間が入る場合における動作シーケンスの一例を示す図である。
【０２０９】
スリープモードでは、無線基地局２０３からの指定により、所定の時間間隔でトラフィック通知メッセージを受信するリスニング（Listening）区間を設ける必要がある。端末（無線通信部１ａ）は、このトラフィック通知メッセージを受信して、通信トラフィックが存在すれば通信状態に復帰し、通信トラフィックが存在しなければスリープ状態を継続するものとする。
【０２１０】
図１６に示す例では、スリープ区間（ａ）および（ｂ）の間でトラフィック通知のためのリスニング区間が入る。
【０２１１】
したがって、ストレージが書き状態となるスリープ区間（ａ）の（ｂ）の間では、データ転送中断と再開の指示が、制御部１ｄからデータ転送部１ｂに出力される。
【０２１２】
同様に、スリープ（Ｓｌｅｅｐ）区間（ｃ）および（ｄ）の間でリスニング区間が入る。
【０２１３】
したがって、ストレージが読み状態となるスリープ区間（ｃ）の（ｄ）の間では、データ転送中断と再開の指示が、制御部１ｄからデータ転送部１ｂに出力される。
【０２１４】
また、図１７は、ホスト機器２が無線基地局２０３からデータを受信する場合における動作シーケンスの一例を示す図である。
【０２１５】
図１７に示すように、無線基地局２０３は、有線通信網５からデータ転送を受ける。無線基地局２０３は、トラフィック通知メッセージにより、スリープモード中の無線通信部１ａを呼び出し、送信データがあることを通知する。
【０２１６】
一方、制御部１ｄは、ストレージ部１ｃに省電力状態を指示（暗黙的な指示では省略可）とともに、無線通信部１ａに通信状態を指示する。
【０２１７】
そして、無線通信部１ａは、この指示を受けて通信状態に入る。
【０２１８】
そして、無線基地局２０３は、一時的に蓄積していたデータを無線通信部１ａへ送信するために時間周波数領域を割当てて、ＭＡＰメッセージで通知する。さらに、無線基地局２０３は、その割当てた領域でデータを送信する。
【０２１９】
一方、無線通信部１ａは、自身宛に割当てられた領域を、ＭＡＰメッセージを受信することで認識する。そして、無線通信部１は、無線通信部１ａ自身宛に割当てられた領域から、無線通信部１ａ自身宛てのデータを受信する。
【０２２０】
そして、無線通信部１ａは、データ受信が終わると、或いはデータ受信が一定量を超えると、無線基地局２０３にスリープモード開始要求メッセージを送信する。さらに、無線通信部１は、制御部１ｄに省電力状態確認を通知し、制御部１ｄにデータ受信を通知する。
【０２２１】
そして、制御部１ｄは、データ受信通知を受けると、アイドル区間において、ストレージ部１ｃに書き状態を指示する（暗黙的な指示では省略可）。さらに、制御部１ｄは、データ転送部１ｂに、無線通信部１ａからストレージ部１ｃへのデータ転送を指示する。
【０２２２】
そして、データ転送部１ｂは、この指示を受けると、無線通信部１ａからストレージ部１ｃにデータを転送する。
【０２２３】
そして、データ転送部１ｂは、このデータ転送が完了すると、制御部１ｄに対してデータ転送完了を通知する。
【０２２４】
そして、制御部１ｄは、この指定を受けると、ホスト機器２にデータ受信を通知する。
【０２２５】
そして、ホスト機器２は、この通知を受けると、制御部１ｄにデータ読み込み要求を通知する。
【０２２６】
そして、制御部１ｄは、この通知を受けて、ストレージ部１ｃを読み状態を指示する（暗黙的な指示では省略可）。さらに、制御部１ｄは、データ転送部１ｂにストレージ部１ｃからホスト機器２へのデータ転送開始を指示するとともに、ホスト機器２にデータ読み込み可を通知する。
【０２２７】
そして、データ転送部１ｂは、データ転送が完了すると、制御部１ｄにデータ転送完了を通知する。
【０２２８】
制御部１ｄは、この通知を受けて、ホスト機器２に対してデータ読み込み不可を通知する。
【０２２９】
図１７に示す例では、一つのスリープ区間にストレージ書き状態／読み状態が入っているが、途中にリスニング（Listening）区間が入る場合は、ストレージ書き状態／読み状態を複数のスリープ区間に分けて処理することも可能である。
【０２３０】
図１５ないし図１７で説明したように、制御部１ｄが、無線通信部１ａ、ストレージ部１ｃ、データ転送部１ｂ、ホスト機器２を制御する。このため、ピーク消費電力を抑制することができる。さらに、無線通信部１ａが省電力状態において、無線基地局２０３に対してアイドルモード状態を通知することにより、省電力状態中のパケット損失をなくし、無線通信性能の劣化を防止することが可能になる。
【０２３１】
以上のように、本実施例２に係る無線メモリ装置によれば、ピーク消費電力を低下させつつ、無線通信性能の劣化を抑制することができる。
【０２３２】
また、無線通信部１ａの省電力状態は、必ずしもデータの送信、受信を完全に停止する必要はなく、その機能の少なくとも一部を制限することによって達成される場合もある。例えば、送信のデータレートを下げることが考えられる。送信のデータレートを下げると、１ビットあたりに割り当てる電力を一定に保ったまま送信電力を下げることができるので、これにより無線周波部１ａ２の消費電力を下げることができる。また、ベースバンド部１ａ４での消費電力が下がることも期待できる。また、無線通信部１ａが無線局３に対して無線局３が送信するデータレートを指示できる場合には、データレートを下げることで、受信時のベースバンド部１ａ４での消費電力が下がることも期待できる。これらは、時間的に積分した総消費電力を下げるとは限らないが、ここではピーク消費電力を下げることを目的としているため、無線通信部１ａの省電力状態として有効になる。
【０２３３】
なお、実施形態は例示であり、発明の範囲はそれらに限定されない。
【符号の説明】
【０２３４】
１  無線メモリ装置
２  ホスト機器
３  無線局
４  ＰＣ
５  有線通信網
１００  無線通信システム
【図１】
2013031112.tif 000003
【図２】
2013031112.tif 000004
【図３】
2013031112.tif 000005
【図４】
2013031112.tif 000006
【図５】
2013031112.tif 000007
【図６】
2013031112.tif 000008
【図７】
2013031112.tif 000009
【図８】
2013031112.tif 000010
【図９】
2013031112.tif 000011
【図１０】
2013031112.tif 000012
【図１１】
2013031112.tif 000013
【図１２】
2013031112.tif 000014
【図１３】
2013031112.tif 000015
【図１４】
2013031112.tif 000016
【図１５】
2013031112.tif 000017
【図１６】
2013031112.tif 000018
【図１７】
2013031112.tif 000019